(57)【要約】【課題】自動車のエンジン始動中または走行中に、運転手の所持する携帯通信端末機を特定して使用を制限する、携帯通信端末機の着信動作遠隔制御システムを得る。【解決手段】この発明は、ドライブモード起動停止部１１と通信制御部１２と指紋登録ボタン１３と指紋登録部１４とを有する携帯電話機１と、キー挿抜検出部２１と指紋読み取り部２２と送信部２３とを有する遠隔制御装置２を備え、キー挿抜検出部２１でイグニッションキーの挿抜を検出すると、運転手の指紋が読み取られて送信部２３からドライブモード起動停止部１１に送信され、ドライブモード起動停止部１１は、予め指紋登録部１４で読み取った携帯電話機１ユーザの指紋情報と、無線信号aに付加される運転手の指紋情報と照合して一致した場合に、携帯電話機１のドライブモードの設定解除を行う。【選択図】図１
2006173782.tif 000002
【特許請求の範囲】
【請求項１】
人体に関わる特徴を示す生体情報を入力する識別情報入力部、
この識別情報入力部より入力した上記生体情報を予め記憶する記憶部、
外部より送信され少なくとも対象生体情報を含む信号を受信する受信部、
上記記憶部の記憶する上記生体情報と上記受信部の受信した受信信号に含まれる上記対象生体情報とを照合する照合部、
および、この照合部の照合結果に基づいて着信動作を制御する制御部を備えたことを特徴とする携帯通信端末機。
【請求項２】
上記受信部の受信する受信信号は、さらに着信動作の制限情報または解除情報を含み、上記制御部は、上記受信信号に上記制限情報が含まれていれば着信動作の制限を開始し、上記解除情報が含まれていれば着信動作の制限を終了することを特徴とする請求項１に記載の携帯通信端末機。
【請求項３】
上記制御部は、照合部の照合により、記憶部の記憶する生体情報と受信部の受信した対象生体情報とが一致したとき、着信動作を制御することを特徴とする請求項１に記載の携帯通信端末機。
【請求項４】
上記生体情報および対象生体情報は指紋情報であり、上記識別情報入力部は、上記指紋情報を読み取る指紋情報読取部であることを特徴とする請求項１に記載の携帯通信端末機。
【請求項５】
自装置の使用開始または使用終了を検知する検知部、
人体に関わる特徴を示す対象生体情報を入力する識別情報入力部、
少なくとも上記対象生体情報を含む信号を外部へ送信する送信部、
および、上記検知部の検知結果に基づいて、上記識別情報入力部より入力した上記対象生体情報を上記送信部から送信させる制御部を備えたことを特徴とする遠隔制御装置。
【請求項６】
上記検知部が自装置の使用開始を検知したときに上記識別情報入力部より入力した対象生体情報を記憶する記憶部を備え、
上記制御部は、上記検知部が自装置の使用終了を検知したとき、上記記憶部の記憶した上記対象生体情報を送信部から送信させることを特徴とする請求項５に記載の遠隔制御装置。
【請求項７】
上記制御部は、検知部が自装置の使用開始を検知したとき、対象生体情報と共に着信動作の制限情報を送信部から送信させ、上記検知部が自装置の使用終了を検知したとき、上記対象生体情報と共に着信動作の解除情報を上記送信部から送信させることを特徴とする請求項５に記載の遠隔制御装置。
【請求項８】
上記対象生体情報は指紋情報であり、上記識別情報入力部は、上記指紋情報を読み取る指紋情報読取部であることを特徴とする請求項５に記載の遠隔制御装置。
【請求項９】
自装置の使用開始または使用終了を検知する遠隔制御装置側検知部、
人体に関わる特徴を示す対象生体情報を入力する遠隔制御装置側識別情報入力部、
少なくとも上記対象生体情報を含む信号を外部へ送信する遠隔制御装置側送信部、および上記遠隔制御装置側検知部の検知結果に基づいて、上記遠隔制御装置側識別情報入力部より入力した上記対象生体情報を上記遠隔制御装置側送信部から送信させる遠隔制御装置側制御部を備えた遠隔制御装置と、
生体情報を入力する携帯通信端末機側識別情報入力部、
この携帯通信端末機側識別情報入力部より入力した上記生体情報を予め記憶する携帯通信端末機側記憶部、
上記遠隔制御装置側送信部より送信され少なくとも上記対象生体情報を含む信号を受信する携帯通信端末機側受信部、
上記携帯通信端末機側記憶部の記憶する上記生体情報と上記携帯通信端末機側受信部の受信した受信信号に含まれる上記対象生体情報とを照合する携帯通信端末機側照合部、および、この携帯通信端末機側照合部の照合結果に基づいて着信動作を制御する携帯通信端末機側制御部を備えた携帯通信端末機とからなることを特徴とする携帯通信端末機の着信動作遠隔制御システム。
【請求項１０】
上記遠隔制御装置側制御部は、上記遠隔制御装置側検知部が自装置の使用開始を検知したとき、対象生体情報と共に着信動作の制限情報を上記遠隔制御装置側送信部から送信させ、上記遠隔制御装置側検知部が自装置の使用終了を検知したとき、対象生体情報と共に着信動作の解除情報を上記遠隔制御装置側送信部から送信させ、
上記携帯通信端末機側制御部は、上記携帯通信端末機側受信部の受信した受信信号に上記制限情報が含まれていれば着信動作の制限を開始し、上記解除情報が含まれていれば着信動作の制限を終了することを特徴とする請求項９に記載の携帯通信端末機の着信動作遠隔制御システム。
【発明の詳細な説明】
【技術分野】
【０００１】
この発明は、例えば、ドライブモード機能を備えドライブモードの自動設定を行う携帯
電話機のような携帯通信端末機と、その遠隔制御装置、および携帯通信端末機の着信動作
制御システムに関するものである。
【背景技術】
【０００２】
従来、携帯電話機の機能の１つであるドライブモードは、ユーザが自動車の運転中に設定し着信動作を制限するための機能であり、当該ドライブモードを設定している期間の着信に対しては、ユーザが運転中につき電話に出られない旨の音声メッセージを携帯電話機が代わって応答した後、簡易留守番電話機能等により発信者からの着信要件を保存しておくものであった。
このようなドライブモードを備える従来の携帯電話機は、各種機能設定をユーザの手入力または音声入力により行うものであった。例えば、ユーザが車を運転する際には、携帯電話機の操作部に設けられている各種操作ボタンを組み合わせて押下する、あるいは、専用に設けられているＤモードボタンを押下することでドライブモード、すなわち、ユーザが車を運転中であるため、着信に対して応答できない旨を示すメッセージを送出し、簡易留守番電話機能へと移行するものであった。
しかし、上述の携帯電話機においては、ユーザ自身の手操作により設定を切り替えるものであるため、ユーザ自身がドライブモードの設定を意識しない限り、車を運転する際に、自身の携帯電話機の設定をドライブモードに切り替えるという動作自体を忘れてしまうといった問題があった。
また、ユーザ自身の手操作により設定を切り替えるものであるため、一旦ドライブモードに設定したものの、ユーザ自身がドライブモードの解除を意識しない限り、車から降りたり、あるいは、車が走行状態でない場合にドライブモードの解除は行なわれず、ユーザ自身によりドライブモードの設定を解除しなければならないという問題があった。
【０００３】
このような不具合を解消するために、例えば、従来例１として、特開平１１−１６８７６７号公報（以下特許文献１と称す。）に開示される「自動車内無線電話システム」が知られている。
この特許文献１に示される自動車内無線電話システムは、イグニッションスイッチのオン／オフ、または、一定速度以上のスピードを超過する車速を検出することで車が走行状態であることを検出し、携帯電話機の使用を制限するものである。
【０００４】
また、従来例２として、特開２００１−２６８６４４号公報（以下特許文献２と称す。）に開示される「携帯電話機の動作制御システム及びその制御方法」が知られている。
この特許文献２に示される携帯電話機の動作制御システム及びその制御方法は、自動車内に設けられた遠隔制御装置により、エンジン始動中の電源ノイズの有無を検出することで自動車が走行中か否かを判断し、無線信号に特定の電話番号を付加して携帯電話機に送信することにより、該電話番号を有する携帯電話機の使用を制限するものである。
【０００５】
【特許文献１】特開平１１−１６８７６７号公報
【特許文献２】特開２００１−２６８６４４号公報
【発明の開示】
【発明が解決しようとする課題】
【０００６】
しかしながら、上記特許文献１においては、イグニッションスイッチのオン／オフ、または、車速に基づいて自動車が走行中であるか否かを検出し、走行中である場合には、無線により車内に存在する携帯電話機の動作を制限するものであるため、自動車内に持ち込まれた携帯電話機全てが動作制限を受けてしまう。そのため、運転手のみならず同乗者の携帯電話機の動作までも制限してしまうといった問題があった。
【０００７】
また、上記特許文献２においては、無線信号に特定の電話番号を付加して携帯電話機に送信することにより、該電話番号を有する携帯電話機の使用を制限するものであるため、予め、使用を制限したい携帯電話機の電話番号を遠隔制御装置に登録しておかなければならない。そのため、遠隔制御装置に登録されていない携帯電話機を所有する運転手が自動車を運転した場合、携帯電話機の使用を制限できないという問題があった。
【０００８】
この発明は、上記のような従来装置の問題点を解消するためになされたものであって、
自装置の使用開始時、例えば自動車の運転時に、電話機のユーザが自ら手操作による機能
設定を行う必要がなく、ユーザ自身何ら意識することなく自身の携帯電話機の着信動作の
制御、例えば、待ち受け状態をドライブモードに設定することができ、使用終了時には、
設定の解除を行うことができる携帯通信端末機と、その遠隔制御装置、および携帯通信端
末機の着信動作遠隔制御システムを提供することを目的とする。
【０００９】
また、携帯電話機すなわち運転手が所持している携帯電話機のみをドライブモードに設
定することができる携帯通信端末機と、その遠隔制御装置、および携帯通信端末機の着信
動作遠隔制御システムを提供することを目的とする。
【００１０】
さらにまた、予め遠隔制御装置側に動作制限したい携帯電話機に関する情報を登録して
おく必要が無く、したがって、自動車を任意の人が運転しても、運転手が所有する携帯電
話機をドライブモードに設定することができる携帯通信端末機と、その遠隔制御装置、お
よび携帯通信端末機の着信動作遠隔制御システムを提供することを目的とする。
【課題を解決するための手段】
【００１１】
（１）  この発明に係る携帯通信端末機は、人体に関わる特徴を示す生体情報を入力する識別情報入力部、この識別情報入力部より入力した上記生体情報を予め記憶する記憶部、外部より送信され少なくとも対象生体情報を含む信号を受信する受信部、上記記憶部の記憶する上記生体情報と上記受信部の受信した受信信号に含まれる上記対象生体情報とを照合する照合部、および、この照合部の照合結果に基づいて着信動作を制御する制御部を備えたものである。
【００１２】
（２）  この発明に係る遠隔制御装置は、自装置の使用開始または使用終了を検知する
検知部、人体に関わる特徴を示す対象生体情報を入力する識別情報入力部、少なくとも上
記対象生体情報を含む信号を外部へ送信する送信部、および、上記検知部の検知結果に基
づいて、上記識別情報入力部より入力した上記対象生体情報を上記送信部から送信させる
制御部を備えたものである。
【００１３】
（３）  また、上記（１）および（２）の携帯通信端末機および遠隔制御装置において、上記生体情報および対象生体情報は指紋情報であり、上記識別情報入力部は、上記指紋情報を読み取る指紋情報読取部であることを特徴とするものである。
【００１４】
（４）また、この発明に係る携帯通信端末機の着信動作遠隔制御システムは、
自装置の使用開始または使用終了を検知する遠隔制御装置側検知部、人体に関わる特徴
を示す対象生体情報を入力する遠隔制御装置側識別情報入力部、少なくとも上記対象生体
情報を含む信号を外部へ送信する遠隔制御装置側送信部、および上記遠隔制御装置側検知
部の検知結果に基づいて、上記遠隔制御装置側識別情報入力部より入力した上記対象生体
情報を上記遠隔制御装置側送信部から送信させる遠隔制御装置側制御部を備えた遠隔制御装置と、
生体情報を入力する携帯通信端末機側識別情報入力部、この携帯通信端末機側識別情報
入力部より入力した上記生体情報を予め記憶する携帯通信端末機側記憶部、上記遠隔制御
装置側送信部より送信され少なくとも上記対象生体情報を含む信号を受信する携帯通信端
末機側受信部、上記携帯通信端末機側記憶部の記憶する上記生体情報と上記携帯通信端末
機側受信部の受信した受信信号に含まれる上記対象生体情報とを照合する携帯通信端末機側照合部、および、この携帯通信端末機側照合部の照合結果に基づいて着信動作を制御する携帯通信端末機側制御部を備えた携帯通信端末機、とから構成したものである。
【発明の効果】
【００１５】
この発明の携帯通信端末機とその遠隔制御装置、および携帯通信端末機の着信動作遠隔
制御システムによれば、着信動作の制御、例えば、ドライブモードの設定を、携帯電話機
付属のキースイッチの操作により行うのではなく、遠隔制御装置にて自装置の使用開始、
例えばエンジンの始動を検出することによって自動で設定でき、また、エンジンの停止を
検出することによって自動で解除することができる。従って、自動車の運転時にユーザが
自ら手操作による機能設定を行う必要がなく、ユーザ自身何ら意識することなく自身の携
帯電話機の待ち受け状態をドライブモードに設定あるいは設定の解除を行うことができる。
【００１６】
また、この発明の携帯通信端末機とその遠隔制御装置、および携帯通信端末機の着信動
作遠隔制御システムによれば、遠隔制御装置において、使用者の人体に関わる特徴を示す
生体情報、例えば運転手の指紋情報を付加した無線信号を送信するため、運転手の指紋情
報と一致する指紋情報が登録されている携帯通信端末機、すなわち運転手が所持している
携帯電話機のみをドライブモードに設定することができる。
【００１７】
さらに、また、この発明の携帯通信端末機とその遠隔制御装置、および携帯通信端末機
の着信動作遠隔制御システムによれば、遠隔制御装置において、自装置の使用開始時に読
み取取った使用者の人体に関わる特徴を示す生体情報、すなわち例えば、エンジン始動時
に読み取った運転手の指紋情報を付加した無線信号を送信するため、予め遠隔制御装置側
に動作制限したい携帯電話機に関する情報を登録しておく必要が無い。それにより、該自
動車を任意の人が運転しても、運転手が所有する携帯電話機のみをドライブモードに設定
することができる。
【発明を実施するための最良の形態】
【００１８】
実施の形態１．
次に、添付図面を参照して、この発明の実施の形態１である携帯通信端末機とその遠隔
制御装置、および携帯通信端末機の着信動作遠隔制御システムについて説明する。
【００１９】
図１は、実施の形態１である携帯通信端末機としての携帯電話機のドライブモード遠隔制御システムの概略を示す構成図である。
図１において、携帯電話機のドライブモード遠隔制御システムは、携帯通信端末機としての携帯電話機１と、遠隔制御装置２とを備えて構成され、遠隔制御装置２からの無線信号ａにより、携帯電話機１の着信動作制御を行う。なお、携帯電話機１は、ユーザにより携帯されるものであり、遠隔制御装置２は、本実施の形態１においては、後述のように自動車のイグニッションキー上に配置されるものとして以下説明する。
【００２０】
携帯電話機１は、ドライブモード起動停止部１１、制御部としての通信制御部１２、人体に関わる特徴を示す生体情報としての指紋情報を入力するための識別情報入力部である、指紋登録ボタン１３および指紋登録部１４から構成されている。
ドライブモード起動停止部１１は、遠隔制御装置２から出力される無線信号aに基づい
て、携帯電話機１の待ち受けモードを通常モードからドライブモードへ、または、ドライ
ブモードから通常モードへ、切り替えるためのドライブモード設定解除信号ｂを出力する。
ドライブモード設定解除信号ｂの出力は、遠隔制御装置２からの無線信号ａに含まれる対象生体情報としての指紋情報と、後述する指紋登録部１４によって予めドライブモード起動停止部１１内に記憶された携帯電話機１ユーザの生体情報としての指紋情報との一致判定を行った後、一致する場合にドライブモード設定、または、ドライブモード解除を制御するための出力信号である。
通信制御部１２は、携帯電話網と無線インタフェースを介して接続され、音声またはデータの送受信を行う。表示とキースイッチを搭載し、マンマシン・インタフェースを実現し、ドライブモード設定時には、携帯電話網からの着信に対しユーザに代わって音声メッセージ等で応答することが可能である。
【００２１】
指紋登録ボタン１３は、予め携帯電話機１ユーザが自身の指紋情報を、携帯電話機１内に記憶させる場合に押下され、後述する指紋登録部１４に対して携帯電話機１ユーザの指紋の読み込みを指示する指紋登録指示信号ｄを出力する。
指紋登録部１４は、携帯電話機１ユーザの指紋を読み込み、ドライブモード起動停止部１１に対して登録指紋情報ｃを出力し、読み込んだ指紋情報を記憶するよう指示する。
指紋登録部１４の詳細については、特開２００１−９２９６０号公報、特開２００１−１０３０４６号公報に開示されているため、ここでは、図２を用いて指紋登録部１４の概略を説明する。
【００２２】
図２において、制御部１４１が指紋登録ボタン１３からの指紋登録指示信号ｄを受けると、発光部１４４が光を照射する。照射された光は、光の光路に対し４５度の角度をなすように位置するハーフミラー１４５を透過し、光路に対し垂直に設置された指紋読み取り面１４３上の指紋により反射する。指紋により反射した反射光は、更に、ハーフミラー１４５により光路を４５度の角度で変化させ、反射光の光路に垂直に位置する受光部１４６へ到達する。
受光部１４６は、反射信号を電気信号に変換し、変換した信号を登録指紋情報ｃとしてドライブモード起動停止部１１へ通知する。
【００２３】
ここで、ドライブモード起動停止部１１の詳細について、図３を用いて説明する。
図３において、ドライブモード起動停止部１１は、記憶部としての指紋情報記憶回路１１１と、受信部としての受信回路１１２と、照合部としての指紋照合回路１１３とから構成されている。
指紋情報記憶回路１１１は、指紋登録部１４から登録指紋情報ｃによって通知された携帯電話機１ユーザの指紋情報を記憶し、携帯電話機１の電源が停止した後も記憶が保持される。
受信回路１１２は、遠隔制御装置２から送信された無線信号ａを受信し、当該無線信号ａを復調して受信データｉを指紋照合回路１１３に出力する。
指紋照合回路１１３は、遠隔制御装置２から受信回路１１２に送信された無線信号ａに含まれる運転手の指紋情報と設定解除信号とを含む受信データｉが受信回路１１２から通知されると、予め指紋情報記憶回路１１１に記憶されている携帯電話機１ユーザの指紋情報と、運転手の指紋情報の照合を行う。これらの照合結果と、受信データiに含まれるドライブモードの設定解除信号に基づいて、通信制御部１２に対して、ドライブモードの設定または解除を制御するためにドライブモード設定解除信号bを出力する。
【００２４】
遠隔制御装置２は、上述されるように自動車のイグニッションキー上に設置され、キー挿抜検出部２１と、識別情報入力部としての指紋読み取り部２２と、送信部２３と、を有している。
キー挿抜検出部２１は、自動車の運転手がイグニッションキーを鍵穴に挿入したかどうかを検出することにより、エンジンの始動、もしくは、停止を判断し、後述の送信部２３に対して設定解除信号ｈを送信すると同時に、指紋読み取り部２２に対して指紋読み取り指示信号ｆを送信し、運転手の指紋の読み込みを指示する。
【００２５】
次に、キー挿抜検出部２１の詳細を図４で説明する。
キー挿抜検出部２１は、検知部としてのスイッチ回路２１１と、制御部としての制御回路２１２と、から構成される。
スイッチ回路２１１は、イグニッションキーが鍵穴に挿入された場合にＯＮされ、鍵穴から抜かれた場合にＯＦＦされる構成とし、後述する制御回路２１２に対して、エンジン始動停止信号ｅを送信する。
制御回路２１２は、スイッチ回路２１１からのエンジン始動停止信号ｅに基づき、送信部２３に対して、設定解除指示信号ｈを送信し、指紋読み取り部２２に対して指紋読み取り指示信号ｆを送信するものである。
【００２６】
遠隔制御装置２の指紋読み取り部２２は、前記キー挿抜検出部２１からの指紋読み取り指示信号ｆに基づき、イグニッションキーを摘んでいる運転手の指の指紋を読み込み、送信部２３に対して読み込んだ指紋情報ｇを通知する。
なお、指紋読み取り部２２の構成および動作は、前述した図２の携帯電話機１の指紋登録部１４と同様であり、説明は省略する。
遠隔制御装置２の送信部２３は、指紋読み取り部２２からの指紋情報ｇとキー挿抜検出部２１からの設定解除信号ｈに基づく無線信号ａを携帯電話機１に送信する。
【００２７】
図５は、この発明の実施の形態１におけるイグニッションキーの概観図である。
遠隔制御装置２は、イグニッションキーの摘み部分に搭載され、指紋読み取り面２２１（図２の指紋読み取り面１４３に相当）は、運転手がイグニッションキーを摘んだ時に指の指紋部分が接触するように配置されるものとする。さらに、スイッチ回路２１１は、イグニッションキーを鍵穴に挿入した場合に、スイッチが押下されるように、配置されるものとする。
【００２８】
次に、実施の形態１の動作について説明する。
図６は、この発明の実施の形態１の携帯電話機のドライブモード遠隔制御システムにおい
て、ドライブモードを設定する場合の動作例を示すシーケンスチャートである。
図６において、
（１）  携帯電話機１を所持している運転手が、自動車のイグニッションキーを鍵穴に
挿入してエンジン始動を行う（ステップＳ１）。
イグニッションキーが鍵穴に挿入されると、キー挿抜検出部２１のスイッチ回路２１１が
押下され、制御回路２１２に対して、エンジン起動停止信号ｅが送信され、エンジンが起
動された旨通知する。
（２）  制御回路２１２は、スイッチ回路２１１よりエンジン始動が通知されると指紋
読み取り部２２に対して、指紋読み取り指示信号ｆを通知する。（ステップＳ２）。
（３）  指紋読み取り部２２は、指紋読み取り面１４３に接触している運転手の指の指
紋を読み取り、送信部２３に対して、読み取った指紋情報ｇを通知する（ステップＳ３）。
（４）  制御回路２１２は、さらにまた送信部２３に対して、設定解除指示信号ｈを送
信し、エンジン始動に基づく無線信号の送信指示である旨を通知する（ステップＳ４）。
（５）  送信部２３は、指紋情報ｇと設定解除指示信号ｈの両信号の受信を待ってから
携帯電話機１の受信回路部１１２に対して無線信号ａを送信する（ステップＳ５）。
（６）  受信回路１１２は、無線信号aを復調し、遠隔制御装置２から送られてきた運
転手の指紋情報とエンジン始動時である旨の情報を含む受信データｉを抜き出し、指紋照
合回路１１３に送信する（ステップＳ６）。
（７）  指紋照合回路１１３は、予め指紋情報記憶回路１１１に登録されている携帯電
話機１ユーザの指紋情報と、受信データｉから取り出した運転手の指紋情報を比較し、一
致しない場合は、これ以降の動作を行わない（ステップＳ７）。
（８）  携帯電話機１ユーザの指紋情報と、受信データｉから取り出した運転手の指紋
情報が一致した場合は、通信制御部１２に対してドライブモードの設定を指示するドライ
ブモード設定解除信号ｂを送信する（ステップＳ８）。
【００２９】
図７は、この発明の実施の形態１の携帯電話機のドライブモード遠隔制御システムにお
いて、ドライブモードを解除する場合の動作例を示すシーケンスチャートである。
図７において、
（９）  携帯電話機１を所持している運転手が、自動車のイグニッションキーを鍵穴か
ら抜いてエンジンを停止する（ステップＳ９）。
イグニッションキーが鍵穴から抜かれると、キー挿抜検出部２１のスイッチ回路２１１が
解除され、制御回路２１２に対して、エンジン起動停止信号ｅが送信され、エンジンが停
止された旨通知する。
（１０）  制御回路２１２は、スイッチ回路２１１よりエンジン停止が通知されると指
紋読み取り部２２に対して、指紋読み取り指示信号ｆを通知する。（ステップＳ１０）。
（１１）  指紋読み取り部２２は、指紋読み取り面１４３に接触している運転手の指の指紋を読み取り、送信部２３に対して、読み取った指紋情報ｇを通知する（ステップＳ１１）。
（１２）  制御回路２１２は、さらにまた送信部２３に対して、設定解除指示信号ｈを
送信し、エンジン停止に基づく無線信号の送信指示である旨を通知する（ステップＳ１２）。
（１３）  送信部２３は、指紋情報ｇと設定解除指示信号ｈの両信号の受信を待ってか
ら携帯電話機１の受信回路部１１２に対して無線信号ａを送信する（ステップＳ１３）。
（１４）  受信回路１１２は、無線信号ａを復調し、遠隔制御装置２から送られてきた
運転手の指紋情報とエンジン停止時である旨の情報を含む受信データｉを抜き出し、指紋
照合回路１１３に送信する（ステップＳ１４）。
（１５）  指紋照合回路１１３は、予め指紋情報記憶回路１１１に登録されている携帯
電話機１ユーザの指紋情報と、受信データｉから取り出した運転手の指紋情報を比較し、
一致しない場合は、これ以降の動作を行わない（ステップＳ１５）。
（１６）  携帯電話機１ユーザの指紋情報と、受信データｉから取り出した運転手の指
紋情報が一致した場合は、通信制御部１２に対してドライブモードの解除を指示するドラ
イブモード設定解除信号ｂを送信する（ステップＳ１６）。
【００３０】
以上のように、この発明の実施の携帯１の携帯電話機のドライブモード遠隔制御システ
ムによれば、ドライブモードの設定を携帯電話機付属のキースイッチの操作により行うの
ではなく、遠隔制御装置にてエンジン始動を検出することによって自動で設定でき、また、エンジンの停止を検出することによって自動で解除することができる。従って、自動車の運転時にユーザが自ら手操作による機能設定を行う必要がなく、ユーザ自身何ら意識することなく自身の携帯電話機の待ち受け状態をドライブモードに設定あるいは設定の解除を行うことができる。
【００３１】
また、遠隔制御装置において、運転手の指紋情報を付加した無線信号を送信するため、
運転手の指紋情報と一致する指紋情報が登録されている携帯電話機すなわち運転手が所持
している携帯電話機のみをドライブモードに設定することができる。
【００３２】
さらに、また、遠隔制御装置において、エンジン始動時に読み取った運転手の指紋情報
を付加した無線信号を送信するため、予め遠隔制御装置側に動作制限したい携帯電話機に
関する情報を登録しておく必要が無い。それにより、該自動車を任意の人が運転しても、
運転手が所有する携帯電話機をドライブモードに設定することができる。
【００３３】
実施の形態２．
次に、この発明の実施の形態２における携帯通信端末機とその遠隔制御装置、および携
帯通信端末機の着信動作遠隔制御システムについて説明する。
図８は、実施の形態２の携帯通信端末機としての携帯電話機のドライブモード遠隔制御
システムの概略を示す構成図である。なお、図中、実施の形態１の図１〜図４との同一符
号は、同一、または、相当部分を示すものとし、詳細説明は省略する。
【００３４】
図８において、実施の形態２の携帯電話機のドライブモード遠隔制御システムは、実施
の形態１と同様に、携帯電話機１と遠隔制御装置２とを備え、遠隔制御装置２からの無線
信号ａにより、携帯電話機１の着信動作制御を行うものであり、携帯電話機１の構成は、
図１の実施の形態１における携帯電話機１と同様である。
遠隔制御装置２の構成は、図１の実施の形態１における遠隔制御装置２の構成に、さら
に記憶部としての指紋記憶部２４を備え、イグニッションキー挿入時に、読み取った運転
手の指紋情報を記憶する。
【００３５】
指紋記憶部２４は、イグニッションキー挿入検出時において、指紋読み取り部２２から
の指紋情報ｇに基づいて送信部２３が無線信号ａを携帯電話機１に送信するタイミングで、送信部２３によって通知された始動時指紋情報ｊを記憶し、イグニッションキー抜け検出時には、運転手の始動時指紋情報ｊが送信部２３によって読み出され、無線信号ａに含めて、携帯電話機１に送信される。
送信部２３は、イグニッションキー挿入検出時において、指紋読み取り部２２からの指
紋情報ｇを無線信号ａに含めて携帯電話機１に送信するタイミングで、始動時指紋情報ｊ
を指紋記憶部２４に通知し、イグニッションキー抜け検出時においては、始動時指紋情報
ｊを指紋記憶部２４から読み込んで、無線信号aに含めて携帯電話機１に送信する。
なお、指紋読み取り部２２と、イグニッションキー挿抜検出部２１に関しては実施の形態
１と同様のものである。
【００３６】
次に、実施の形態２の動作について説明する。
図９は実施の形態２における携帯電話機のドライブモード遠隔制御システムにおいて、ドライブモードを設定する場合の動作例を示すシーケンスチャートである。
図９において、
（１７）  携帯電話機１を所持している運転手が、自動車のイグニッションキーを鍵穴に挿入してエンジン始動を検出してから、運転手の指紋読み取り及び送信部２３への無線信号a指示までのステップＳ１７からステップＳ２０までは、実施の形態１における図６のステップＳ１からステップＳ４と同様である
（１８）  送信部２３は、指紋情報ｇと設定解除指示信号ｈの両信号の受信を待ってから携帯電話機１の受信回路部１１２に対して無線信号aを送信する（ステップＳ２１）。
（１９）  その後、送信部２３は、指紋記憶部２４に対して、始動時指紋情報ｊを通知し、指紋記憶部２４において始動時指紋情報ｊが記憶される（ステップＳ２２）。
（２０）  以降の携帯電話機１側の動作であるステップＳ２３からステップＳ２５までは、実施の形態１における図６のステップＳ６からステップＳ８までと同様であり、説明は省略する。
【００３７】
図１０は、この発明の実施の形態２における携帯電話機のドライブモード遠隔制御シス
テムにおいて、ドライブモードを解除する場合の動作例を示すシーケンスチャートである。
図１０において、
（２１）  携帯電話機１を所持している運転手が、自動車のイグニッションキーを鍵穴
から抜いてエンジンを停止する（ステップＳ２６）。
イグニッションキーが鍵穴から抜かれるとキー挿抜検出部２１のスイッチ回路２１１が解
除され、制御回路２１２に対して、エンジン起動停止信号ｅが送信され、エンジンが停止
された旨通知する。
（２２）  制御回路２１２は、送信部２３に対して、設定解除指示信号ｈを送信し、エ
ンジン停止に基づく無線信号ａの送信指示である旨を通知する（ステップＳ２７）。
（２３）  送信部２３は、設定解除指示信号ｈを受信すると指紋記憶部２４から始動時
指紋情報ｊを読み込み（ステップＳ２８）、無線信号aに含めて携帯電話機１の受信回路部１１２に送信する（ステップＳ２９）。
（２４）  以降の携帯電話機１側の動作であるステップＳ３０からステップＳ３２まで
は、実施の形態１における図７のステップＳ１４からステップＳ１６までと同様であり、
説明は省略する。
【００３８】
以上のようにこの発明の実施の形態２によれば、遠隔制御装置２に指紋記憶部２４を設けて、エンジン始動時に読み取った運転手の指紋情報を記憶し、エンジン停止時に当該指紋情報を読み出して携帯電話機１に送信するようにしたので、エンジンがかかった状態で運転手が交代した場合に、最初の運転手のドライブモードをエンジン停止時に解除することが可能となる。
【００３９】
実施の形態３．
次に、この発明の実施の形態３における携帯通信端末機とその遠隔制御装置、および携
帯通信端末機の着信動作遠隔制御システムについて説明する。
実施の形態３における携帯電話機のドライブモード遠隔制御システムの構成は、実施の形態１と同様に、携帯通信端末機としての携帯電話機１と、遠隔制御装置２とを備え、遠隔制御装置２からの無線信号aにより、携帯電話機１の着信動作制御を行うものであり、遠隔制御装置２が、運転席のシートベルトを止めるシートベルト接続部に搭載されること以外は実施の形態１と同様の構成である。
【００４０】
図１１は、実施の形態３におけるシートベルトの接続部分の概観図である。
図１１において、遠隔制御装置２の指紋読み取り面２２１がシートベルト接続部上に搭載
され、運転手がシートベルトをロックおよびロック解除する場合に、運転手の指の指紋部
分が接触するよう配置されるものとする。シートベルトの接続部分は、シートベルト接続
部３とシートベルト接続部４から構成され、遠隔制御装置２は、シートベルト接続部３上
に搭載されるものとする。
遠隔制御装置２のスイッチ２１１は、シートベルト接続部４がシートベルト接続部３に
挿入された場合にスイッチＯＮされ、シートベルト接続部４が抜かれた場合にスイッチＯ
ＦＦされる構成とする。
上記の構成以外の、携帯電話機のドライブモード遠隔制御システムにおける携帯電話機
１および遠隔制御装置２の構成は、実施の形態１の構成と同じであり、説明は省略する。
【００４１】
次に、実施の形態３における携帯電話機のドライブモード遠隔制御システムにおいて、
ドライブモードを設定する場合の動作、および、ドライブモードを解除する場合の動作に
ついて説明する。
【００４２】
ドライブモードを設定する場合の動作は、実施の形態１における「イグニッションキー
の挿入」を「シートベルト接続部４をシートベルト接続部３へ挿入」と読み替えること以
外、図６のステップＳ１からステップＳ８と同様の動作である。
【００４３】
また、ドライブモードを解除する場合の動作は、実施の形態１における「イグニッショ
ンキーの抜け」を「シートベルト接続部３からシートベルト接続部４を抜く」と読み替え
ること以外、図７のステップＳ９からステップＳ１６と同様の動作である。
【００４４】
以上のようにこの発明の実施の形態３によれば、遠隔制御装置２を運転席のシートベル
トの接続部に搭載したことにより、エンジンが停止していない状態で運転手が入れ替わっ
た場合にも、前運転手の携帯電話機のドライブモードを解除してから入れ替わった運転手
の携帯電話機をドライブモードに設定することが可能である。
【００４５】
なお、上記実施の形態３では、実施の形態１における遠隔制御装置２をシートベルト接
続部に搭載した場合について説明したが、実施の形態２における遠隔制御装置２をシート
ベルト接続部に搭載してもよい。
【００４６】
また、実施の形態３では、遠隔制御装置２をシートベルト接続部に搭載したが、運転手
が運転開始時と停止時に必ず指を接触させる車内の備品上に搭載してもよく、例えば、ギ
ヤチェンジを行うシフトレバーの取っ手部や、運転席側のドアの取っ手部などに搭載して
もよい。
【産業上の利用可能性】
【００４７】
この発明は、ドライブモード機能を備えた携帯電話機のドライブモードの自動設定に用いることができる。
【図面の簡単な説明】
【００４８】
【図１】この発明の実施の形態1における携帯電話機のドライブモード遠隔制御システムの概略を示す構成図である。
【図２】この発明の実施の形態１における指紋登録部および指紋読み取り部の概略図である。
【図３】この発明の実施の形態１におけるドライブモード起動停止部の詳細図である。
【図４】この発明の実施の形態１におけるキー挿抜検出部の詳細図である。
【図５】この発明の実施の形態１におけるイグニッションキーの概観図である。
【図６】この発明の実施形の態１におけるドライブモードの設定動作を示すシーケンスチャートである。
【図７】この発明の実施の形態１におけるドライブモードの解除動作を示すシーケンスチャートである。
【図８】この発明の実施の形態２における携帯電話機のドライブモード遠隔制御システムの概略を示す構成図である。
【図９】この発明の実施の形態２におけるドライブモードの設定動作を示すシーケンスチャートである。
【図１０】この発明の実施の形態２におけるドライブモードの解除動作を示すシーケンスチャートである。
【図１１】この発明の実施の形態３における運転席シートベルト接続部の概観図である。
【符号の説明】
【００４９】
１：携帯電話機、２：遠隔制御装置、１１：ドライブモード起動停止部、
１２：通信制御部、１３：指紋登録ボタン、１４：指紋登録部、２１：キー挿抜検出部
２２：指紋読み取り部、２３：送信部、２４：指紋記憶部、ａ：無線信号、
ｂ：ドライブモード設定解除信号、ｃ：登録指紋情報、ｄ：指紋登録指示信号、
ｇ：指紋情報、ｈ：設定解除指示信号、ｆ：指紋読み取り指示信号、ｊ：始動時指紋情報。
【図１】
2006173782.tif 000003
【図２】
2006173782.tif 000004
【図３】
2006173782.tif 000005
【図４】
2006173782.tif 000006
【図５】
2006173782.tif 000007
【図６】
2006173782.tif 000008
【図７】
2006173782.tif 000009
【図８】
2006173782.tif 000010
【図９】
2006173782.tif 000011
【図１０】
2006173782.tif 000012
【図１１】
2006173782.tif 000013